(57)【要約】【課題】対面キッチンカウンタを片持ち式に壁面にしっかりと、かつ、意匠性よく取付けることができる取付け構造を提供する。【解決手段】キッチンカウンタの端部を壁面に取付ける構造であって、垂直固定片１１と水平支持片１２とからなる断面Ｌ字形の支持金具１と、上記壁面Ｗに凹設され、上記支持金具１を固定する固定凹部２とからなり、上記固定凹部２の背面２１に上記支持金具１の垂直固定片１１が固定されるとともに、該垂直固定片１１のコーナー部１１１が上記固定凹部２の底面２２によって支持され、壁面Ｗから突出した上記水平支持片１２がカウンタ３の長手方向端部３１を片持ち支持するキッチンカウンタの壁面取付け構造。【選択図】図１
2007037896.tif 000002
【特許請求の範囲】
【請求項１】
キッチンカウンタの端部を壁面に取付ける構造であって、垂直固定片と水平支持片とからなる断面Ｌ字形の支持金具と、上記壁面に凹設され、上記支持金具を固定する固定凹部とからなり、上記固定凹部の背面に上記支持金具の垂直固定片が固定されるとともに、該垂直固定片のコーナー部が上記固定凹部の底面によって支持され、壁面から突出した上記水平支持片がカウンタの長手方向端部を片持ち支持するキッチンカウンタの壁面取付け構造。
【請求項２】
上記支持金具の水平支持片と上記カウンタの長手方向端部とがさらにビス固定される請求項１に記載のキッチンカウンタの壁面取付け構造。
【請求項３】
上記カウンタの裏面に裏桟木を長手方向に固定し、この裏桟木の長手方向端部を片持ち支持するキッチンカウンタの壁面取付け構造。
【発明の詳細な説明】
【技術分野】
【０００１】
本発明はカウンタの取付け構造に関する。さらに詳しくは、対面キッチンカウンタ等、幅広のキッチンカウンタを壁面に取付ける構造に関する。
【背景技術】
【０００２】
従来、カウンタを取付ける構造としては、例えばキャビネットの上面開口部を覆うように取付けるカウンタの取付け構造が知られている。下記特許文献１の第２図にはキャビネットの上面開口部に木製の角材からなる桟材を架設し、上記開口部に取付けられるカウンタの裏面に上記桟材よりも上下厚み寸法の小さい裏桟材を設け、上記カウンタを上面開口部に載置し、裏桟材を桟材に近接して沿うように上面開口部に納めるカウンタ取付け装置が開示されている。さらに、下記特許文献１の第1図、第３図には、上記桟材と裏桟材とを、固定横片部と縦片部と支持横片部とからなる結合具を用いて、固定する状態が示されている。
【０００３】
ところで、近年マンション等においては、キッチンとリビングルームの間をカウンタで仕切り、調理中の主婦と家族が団欒を楽しめるように配慮した対面キッチンカウンタが一般的となりつつあり、このとき、スペースを有効に利用するため、片持ち式に上記カウンタの長さ方向の端部を壁面に取付ける場合が多い。しかしながら、下記特許文献１に記載の技術を直ちに適用できるものとはいえず、従来、本願図４に示すように、カウンタ６に裏桟木７を固定し、この裏桟木７の長手方向端部の下面をＬ字形金具８の水平片で支持して固定用ビス９１で固定するとともに、垂直片を固定用ビス９２で壁面Ｗに固定する方法が採られている。
【特許文献１】特開平７−１４８０４３号公報（第１〜３頁、第１図、第２図、第３図）
【発明の開示】
【発明が解決しようとする課題】
【０００４】
しかしながら、上記したＬ字形金具を用いてカウンタを壁面に固定する従来法では、カウンタおよび載置物の重量がＬ字形金具を壁面に固定する固定用ビスにかかるため、固定用ビスが上記した負荷に耐えきれず、壁面から抜けたり、剪断力が働いて折損する等の問題が生じる。さらに、Ｌ字形金具の全形が側面から見えるため、外観が悪いという問題もある。本発明は、このような問題を解決して、キッチンカウンタ、とくに対面キッチンカウンタを片持ち式に壁面にしっかりと、かつ、意匠性よく取付けることができる取付け構造を提供することを、その課題とする。
【課題を解決するための手段】
【０００５】
上記課題を解決するために、本発明においては、つぎのような技術的手段を講じている。すなわち、請求項１に記載の発明によれば、キッチンカウンタの端部を壁面に取付ける構造であって、垂直固定片と水平支持片とからなる断面Ｌ字形の支持金具と、上記壁面に凹設され、上記支持金具を固定する固定凹部とからなり、上記固定凹部の背面に上記支持金具の垂直固定片が固定されるとともに、該垂直固定片のコーナー部が上記固定凹部の底面によって支持され、壁面から突出した上記水平支持片がカウンタの長手方向端部を片持ち支持するキッチンカウンタの壁面取付け構造が提供される。このとき、上記固定凹部の壁面からの深さは上記支持金具の垂直固定片の肉厚と略同等とされることが好ましい。
【０００６】
請求項２に記載のキッチンカウンタの壁面取付け構造は、請求項１に記載の発明に加えて、上記支持金具の水平支持片と上記カウンタの長手方向端部とをさらにビス固定することが好ましい。このとき、固定用ビスが螺入するように、カウンタは天然木等の木製とすることが好ましい。
【０００７】
請求項３に記載のキッチンカウンタの壁面取付け構造は、請求項１に記載の発明に加えて、上記カウンタの裏面に裏桟木を長手方向に沿って固定し、この裏桟木の長手方向端部が上記支持金具によって片持ち支持される。このとき、上記支持金具の水平支持片と裏桟木の長手方向端部とをさらに固定用ビスによって固定することが好ましい。
【発明の効果】
【０００８】
請求項１に記載の発明にかかるキッチンカウンタの壁面取付け構造は上記のとおりであり、壁面に凹設された固定凹部の背面に断面Ｌ字形の支持金具の垂直固定片が固定され、該垂直固定片のコーナー部が上記固定凹部の底面によっても支持され、壁面から突出した水平支持片にかかるキッチンカウンタの負荷は、固定凹部の底面に分散するため、従来法による、単にＬ字形金具の垂直片を固定用ビスで壁面に固定する方法に比べて比較的重いカウンタでも十分に支えることができる。さらに、Ｌ字形金具の全形が側面から見えることなく、水平片だけが見えるため目立たず、意匠性よくキッチンカウンタを壁面に取付けることができる。
【０００９】
請求項２に記載のキッチンカウンタの壁面取付け構造は上記のとおりであり、請求項１のキッチンカウンタの壁面取付け構造の有する効果に加え、上記支持金具の水平支持片と上記カウンタの長手方向端部とをさらにビス固定するため、キッチンカウンタがずれたり、ガタついたりすることなく、しっかりと水平支持片に固定される。
【００１０】
請求項３に記載のキッチンカウンタの壁面取付け構造は上記のとおりであり、請求項１のキッチンカウンタの壁面取付け構造の有する効果に加え、上記カウンタの裏面に裏桟木を長手方向に固定し、この裏桟木の長手方向端部を片持ち支持するため、カウンタとして人造大理石、天然大理石等ビスが通らないものを用いた場合でも、これらの裏に裏桟木を固定し、この裏桟木を介してキッチンカウンタがずれたり、ガタついたりすることなく、しっかりと水平支持片に固定される。
【発明を実施するための最良の形態】
【００１１】
以下、本発明の実施形態について図面を参照して、詳細に説明する。図１は、本発明にかかるキッチンカウンタの壁面取付け構造の第１実施例の構成を示す分解斜視図である。図１において、片持ち式の対面キッチンカウンタのカウンタ３は肉厚の天然木からなり、壁面Ｗの反対側には図示しない脚部が設けられている。
【００１２】
図１に示すように、断面Ｌ字型の支持金具１は、垂直固定片１１と水平支持片１２とからなり、垂直固定片１１は壁面Ｗに凹設された固定凹部２に納められ、固定用ビスＢ１で固定される。このとき、固定凹部２の深さは垂直固定片１１の肉厚と略同等とされる。すなわち、垂直固定片１１は上記固定部２の背面２１に固定用ビスＢ１で壁面Ｗと面一となるように固定され、垂直固定片１１のコーナー部１１１は固定凹部２の底面２２によって支持される。このようにして、水平支持片１２が壁面Ｗから突出し、カウンタ３の長手方向端部３１を片持ち支持するため、支持金具１の全体が見えず目立たないため見栄えのよいものとなる。さらに、片持ち支持された上記天然木からなる長手方向端部３１は、水平支持片１２に穿たれたビス孔を挿通して螺入した固定用ビスＢ２によってしっかりと固定される。
【００１３】
図２は、本発明にかかるキッチンカウンタの壁面取付け構造の第２実施例の構成を示す分解斜視図である。図２に示す第２実施例においては、片持ち式の対面キッチンカウンタのカウンタ４は人造大理石からなり、その裏面には裏桟木５が長手方向に沿って固定されている。支持金具１は、第１実施例と同様にして、水平支持片１２が壁面Ｗから突出するとともに、裏桟木５の長手方向端部５１を片持ち支持する。
【００１４】
図３は、図２に示す支持金具１を用いて上記裏桟木５の長手方向端部５１を支持した状態を示す側断面図である。図３に示されているように、支持金具１はその垂直固定片１１が固定凹部２の背面２１に固定用ビスＢ１によって固定され、垂直固定片１１のコーナー部１１１は固定凹部２の底面２２によって支持される。したがって、図４に示す従来例に比較して、壁面Ｗから突出した水平支持片１２にかかる負荷は固定凹部２の底面２２にも分散して支持されるため、比較的重い人造大理石からなるカウンタ４もしっかりと支えることができる。さらに、水平支持片１２と裏桟木５の長手方向端部５１とは固定用ビスＢ２によってビス固定されているため、人造大理石からなるカウンタ４は裏桟木５を介してずれたり、ガタついたりすることなく、しっかりと片持ち支持され、意匠性よく、対面キッチンカウンタを形成することができる。
【図面の簡単な説明】
【００１５】
【図１】本発明にかかるキッチンカウンタの壁面取付け構造の第１実施例の構成を示す分解斜視図である。
【図２】本発明にかかるキッチンカウンタの壁面取付け構造の第２実施例の構成を示す分解斜視図である。
【図３】図２に示す支持金具を用いて裏桟木の長手方向端部を支持した状態を示す側断面図である。
【図４】従来法によるキッチンカウンタの壁面取付け構造の構成を示す側断面図である。
【符号の説明】
【００１６】
１          支持金具
１１        垂直固定片
１１１      コーナー部
１２        水平支持片
２          固定凹部
２１        背面
２２        底面
３          第１実施例におけるカウンタ
３１        長手方向端部
４          第２実施例におけるカウンタ
５          第２実施例における裏桟木
５１        長手方向端部
Ｂ１        固定用ビス
Ｂ２        固定用ビス
６          従来法におけるカウンタ
７          従来法における裏桟木
８          従来法におけるＬ字形金具
９１        従来法における固定用ビス
９２        従来法における固定用ビス
Ｗ          壁面
【図１】
2007037896.tif 000003
【図２】
2007037896.tif 000004
【図３】
2007037896.tif 000005
【図４】
2007037896.tif 000006